(57)【要約】【課題】Ｄ１のみに対応する映像出力端子が接続された場合には出力フォーマットを常にＤ１に自動切換えするとともに自動切換前の出力フォーマットを記憶し、Ｄ１のみに対応する映像出力端子が非接続となった場合には記憶している自動切換前の出力フォーマットに自動切換えすることができる映像出力装置および映像出力方法を提供する。【解決手段】本発明に係る映像出力装置１０は、ＣＰＵ１１、ＲＡＭ１２、ＲＯＭ１３、出力フォーマットユーザ設定手段１４、自動切換前出力フォーマット記憶手段１５、ＯＳＤ表示手段１６、警告音発生手段１７、映像処理手段１８、コンポジット端子２１、Ｓ端子２２、コンポーネント端子２３、Ｄ端子２４を有するものである。ＣＰＵ１１は、ＲＯＭ１３に記憶された映像出力プログラムによって、少なくとも待機手段、端子接続判定手段、出力フォーマット判定手段および出力フォーマット指定手段として機能する。【選択図】  図１
2007243818.tif 000002
【特許請求の範囲】
【請求項１】
Ｄ１のみに対応する映像出力端子の接続の有無を判定する端子接続判定手段と、
前記Ｄ１のみに対応する映像出力端子が接続されている場合、出力フォーマットをＤ１に変更するよう指定する出力フォーマット指定手段と、
を有することを特徴とする映像出力装置。
【請求項２】
前記変更を行う直前の出力フォーマットを格納する自動切換前出力フォーマット記憶手段をさらに有し、
前記出力フォーマット指定手段は、前記変更を行う際に、前記変更を行う直前の出力フォーマットを前記自動切換前出力フォーマット記憶手段に記憶する機能をさらに有するものである請求項１記載の映像出力装置。
【請求項３】
前記出力フォーマット指定手段は、前記Ｄ１のみに対応する映像出力端子が接続されていない場合、前記出力フォーマットを前記自動切換前出力フォーマット記憶手段に記憶されている出力フォーマットに変更するよう指定する機能をさらに有するものである請求項２記載の映像出力装置。
【請求項４】
前記出力フォーマットの変更を行った旨をオンスクリーンディスプレイで表示するＯＳＤ表示手段をさらに有する請求項１ないし請求項３のいずれか１項に記載の映像出力装置。
【請求項５】
前記出力フォーマットの変更を行った旨を音声で警告する警告音発生装置をさらに有する請求項１ないし請求項４のいずれか１項に記載の映像出力装置。
【請求項６】
Ｄ１のみに対応する映像出力端子の接続の有無を判定するステップと、
前記Ｄ１のみに対応する映像出力端子が接続されている場合、出力フォーマットをＤ１に変更するステップと、
を有することを特徴とする映像出力方法。
【請求項７】
前記変更を行う際に、前記変更を行う直前の出力フォーマットを記憶するステップをさらに有する請求項６記載の映像出力方法。
【請求項８】
前記Ｄ１のみに対応する映像出力端子が接続されていない場合、前記出力フォーマットを前記変更を行う直前の出力フォーマットに変更するステップをさらに有する請求項７記載の映像出力方法。
【請求項９】
前記出力フォーマットの変更を行った旨をオンスクリーンディスプレイで表示するステップをさらに有する請求項６ないし請求項８のいずれか１項に記載の映像出力方法。
【請求項１０】
前記出力フォーマットの変更を行った旨を音声で警告するステップをさらに有する請求項６ないし請求項９のいずれか１項に記載の映像出力方法。
【発明の詳細な説明】
【技術分野】
【０００１】
本発明は、複数の映像フォーマットの出力処理をあつかう映像出力装置および映像出力方法に関する。
【背景技術】
【０００２】
テレビなどの映像をあつかう記録再生装置などの映像出力機器には、５２５ｉ（Ｄ１）、５２５ｐ（Ｄ２）、１１２５ｉ（Ｄ３）、７５０ｐ（Ｄ４）および１１２５ｐ（Ｄ５）などの複数の映像信号形式（映像フォーマット）をあつかうことができるものがある。
【０００３】
この映像出力機器と映像表示機器（モニタ）との接続には、映像表示機器があつかうことのできる映像フォーマットに応じて適当な端子を用いる。コンポジット端子およびＳ端子は、５２５ｉ（Ｄ１）のみに対応する。Ｄ２以上の映像フォーマットを送受信する際には、コンポーネント端子またはＤ端子を用いる。映像出力機器は、映像表示機器があつかうことのできる映像フォーマットに応じて映像を出力する必要がある。
【０００４】
従来、この種の映像出力技術には、特開２００５−２６０７９６号公報（特許文献１）に開示された映像信号出力装置がある。
【０００５】
この映像信号出力装置は、映像信号の出力フォーマットをユーザが設定することができるメニュー機能又はスイッチ回路と、Ｄ２以上の端子が接続されているか否かを検出する検出回路と、Ｄ２以上の端子が接続されていない場合にはユーザ設定を無視して出力フォーマットを常にＤ１に設定するマイクロコンピュータを有し、Ｄ端子およびコンポーネント端子が非接続の場合には解像度をＤ１に常に自動切換えし、切り換えた旨および高画質映像出力端子（Ｄ端子またはコンポーネント端子）を用いて接続を行うことが必要である旨を、オンスクリーンディスプレイ表示（以下、ＯＳＤ表示という）してユーザに知せるようになっている。
【０００６】
このため、高画質映像出力端子（Ｄ端子またはコンポーネント端子）から出力すべき映像出力の出力フォーマット（Ｄ２以上）を設定しても、高画質映像出力端子に接続用コネクタが接続されておらず、映像表示機器との接続が従来のコンポジット端子やＳ端子のままである場合に、Ｄ２以上の規格による高画質映像を見ることができているとの誤解をユーザに与えることを防ぐことができる。
【特許文献１】特開２００５−２６０７９６号公報
【発明の開示】
【発明が解決しようとする課題】
【０００７】
従来の映像信号出力装置では、高画質映像出力端子（Ｄ端子およびコンポーネント端子）に接続コネクタが接続されていない場合には、常にＤ１で出力するが、高画質映像出力端子が接続された場合には、ユーザにより設定された出力フォーマットに従って出力するようになっている。このため、たとえば映像信号出力装置のコンポジット端子とＤ端子を同時に接続しユーザ設定出力フォーマットがＤ２以上の場合には、コンポジット端子出力に正常な映像信号が出力されない場合がある。
【０００８】
本発明は、上述した事情を考慮してなされたもので、Ｄ１のみに対応する映像出力端子が接続された場合には出力フォーマットを常にＤ１に自動切換えするとともに自動切換前の出力フォーマットを記憶し、Ｄ１のみに対応する映像出力端子が非接続となった場合には記憶している自動切換前の出力フォーマットに自動切換えすることができる映像出力装置および映像出力方法を提供することを目的とする。
【課題を解決するための手段】
【０００９】
本発明に係る映像出力装置は、上述した課題を解決するために、Ｄ１のみに対応する映像出力端子の接続の有無を判定する端子接続判定手段と、前記Ｄ１のみに対応する映像出力端子が接続されている場合、出力フォーマットをＤ１に変更するよう指定する出力フォーマット指定手段とを有することを特徴とするものである。
【００１０】
また、本発明に係る映像出力方法は、上述した課題を解決するために、Ｄ１のみに対応する映像出力端子の接続の有無を判定するステップと、前記Ｄ１のみに対応する映像出力端子が接続されている場合、出力フォーマットをＤ１に変更するステップとを有することを特徴とする方法である。
【発明の効果】
【００１１】
本発明に係る映像出力装置および映像出力方法によれば、Ｄ１のみに対応する映像出力端子が接続された場合には出力フォーマットを常にＤ１に自動切換えするとともに自動切換前の出力フォーマットを記憶し、Ｄ１のみに対応する映像出力端子が非接続となった場合には記憶している自動切換前の出力フォーマットに自動切換えすることができる。
【発明を実施するための最良の形態】
【００１２】
本発明に係る映像出力装置および映像出力方法の実施の形態について、添付図面を参照して説明する。
【００１３】
図１は、本発明に係る映像出力装置の一実施形態を示す概略的な全体構成図である。
【００１４】
映像出力装置１０は、ＣＰＵ１１、ＲＡＭ１２、ＲＯＭ１３、出力フォーマットユーザ設定手段１４、自動切換前出力フォーマット記憶手段１５、ＯＳＤ表示手段１６、警告音発生手段１７、映像処理手段１８、コンポジット端子２１、Ｓ端子２２、コンポーネント端子２３、Ｄ端子２４を有する。
【００１５】
ＣＰＵ１１は、ＲＯＭ１３内に記憶されたプログラムに従って、映像出力装置１０の処理動作を制御する。ＣＰＵ１１は、ＲＯＭ１３内に記憶された映像出力プログラムおよびプログラムの実行のために必要なデータをＲＡＭ１２へロードし、映像出力プログラムに従って、映像信号を適当な出力フォーマットをもって各端子２１〜２４を介してＣＲＴやＬＣＤなどの映像出力機器へ出力するための処理を実行する。
【００１６】
ＲＡＭ１２は、ＣＰＵ１１が実行するプログラムおよびデータを一時的に格納するワークエリアを提供する。
【００１７】
ＲＯＭ１３は、映像出力装置１０の起動プログラム、映像出力プログラムや、これらのプログラムを実行するために必要な各種データを記憶する。
【００１８】
なお、ＲＯＭ１３は、磁気的もしくは光学的記憶媒体または半導体メモリなどの、ＣＰＵ１１により読み取り可能な記憶媒体を含んだ構成を有し、ＲＯＭ１３内のプログラムおよびデータの一部または全部は電子ネットワークを介してダウンロードされるように構成してもよい。
【００１９】
出力フォーマットユーザ設定手段１４は、ユーザの意思を映像出力装置１０に伝える機能を有するリモコンなどの入力装置３１または切換スイッチ３２などを介して、ユーザが設定した出力フォーマットの情報を受け、このユーザが設定した出力フォーマットの情報を自動切換前出力フォーマット記憶手段１５に与える。
【００２０】
自動切換前出力フォーマット記憶手段１５は、ＣＰＵ１１により出力フォーマットが自動切換えされる際、この自動切換えの直前に映像処理手段１８が出力している出力フォーマットを、自動切換前出力フォーマットとして格納する。また、あらかじめ、初期値としてＤ１を格納しておく。また、ユーザが出力フォーマットの設定を変更した場合は、このユーザ設定出力フォーマットの情報を出力フォーマットユーザ設定手段１４から受け、この出力フォーマットの情報を新たに自動切換前出力フォーマットとして格納する。
【００２１】
ＯＳＤ表示手段１６は、必要に応じて、映像処理手段１８の出力する映像信号にＯＳＤ表示情報を重畳する。
【００２２】
警告音発生手段１７は、必要に応じて、ブザー、音楽または人間の声のアナウンスなどにより、警告音を発生する。
【００２３】
映像処理手段１８は、デジタルの映像データをアナログの映像データに変換する。また、映像処理手段１８は、ＣＰＵ１１から出力すべき出力フォーマットの情報を受け、アナログの映像データをこの出力フォーマットに変換して各端子２１〜２４を介して映像出力機器へ出力する。また、映像処理手段１８は、この出力フォーマットの情報をＣＰＵ１１へ与える。
【００２４】
図２は、走査線数方式、有効走査線数方式およびＤ方式の対応関係を示す図である。出力フォーマットの表現方式は、一般に、図２に示すように走査線数方式、有効走査線数方式およびＤ方式の３方式に大きく分類することができる。本明細書では、出力フォーマットをＤ方式で表現するものとする。
【００２５】
図３は、映像出力端子と出力フォーマットの対応関係を示す図である。
【００２６】
コンポジット端子２１、Ｓ端子２２、コンポーネント端子２３およびＤ端子２４は、アナログの映像データを出力するために使用する映像出力端子である。コンポジット端子２１およびＳ端子２２は、図３に示すように、出力フォーマットがＤ１の場合のみ正常出力が可能である。コンポーネント端子２３およびＤ端子２４は、図３に示すように、各出力フォーマット（Ｄ１〜Ｄ５）に対応し、それぞれの出力フォーマットで正常出力が可能である。
【００２７】
図４は、ＣＰＵ１１による機能実現手段の構成例を示す概略的なブロック図である。
【００２８】
ＣＰＵ１１は、ＲＯＭ１３に記憶された映像出力プログラムによって、少なくとも待機手段１１ａ、端子接続判定手段１１ｂ、出力フォーマット判定手段１１ｃおよび出力フォーマット指定手段１１ｄとして機能する。この各手段は、ＲＡＭ１２の所要のワークエリアを、データの一時的な格納場所として利用する。なお、この各手段は、ＣＰＵを用いずに、ハードウエアロジックによって構成してもよい。
【００２９】
待機手段１１ａは、ＣＰＵ１１の一連の繰返し処理ごとの間に、所要の時間だけ待機させる機能を有する。ここで、ＣＰＵ１１の一連の繰返し処理とは、映像信号を適当な出力フォーマットをもって各端子２１〜２４を介してＣＲＴやＬＣＤなどの映像出力機器へ出力する処理を指す。この処理間の時間は、無駄な電力の消費を押さえ、かつ各端子２１〜２４の接続状況の変化やユーザ設定出力フォーマットの変化などに迅速に対応できるような適当な時間を設定する。
【００３０】
端子接続判定手段１１ｂは、映像出力装置１０のコンポジット端子またはＳ端子が接続されているかどうかを判定する機能を有する。この判定は、コンポジット端子またはＳ端子（以下、これらを総称してＤ１専用端子という）のうち、少なくともひとつが接続されている場合を接続中と判定するものとする。
【００３１】
出力フォーマット判定手段１１ｃは、映像処理手段１８が現在出力している出力フォーマット（以下、現在出力フォーマットという）の情報を受け、この現在出力フォーマットがＤ１と等しいかどうかを判定する機能を有する。異なる場合は、現在出力フォーマットの情報を出力フォーマット指定手段１１ｄに与える。
【００３２】
また、出力フォーマット判定手段１１ｃは、現在出力フォーマットが自動切換前出力フォーマット記憶手段１５に記憶されている自動切換前出力フォーマットと等しいかどうかを判定する機能を有する。異なる場合は、自動切換前出力フォーマットの情報を出力フォーマット指定手段１１ｄに与える。
【００３３】
出力フォーマット指定手段１１ｄは、出力フォーマット判定手段１１ｃから受けた現在出力フォーマットの情報を、自動切換前出力フォーマットとして、自動切換前出力フォーマット記憶手段１５に格納し、映像処理手段１８に対してＤ１で映像を出力するよう指定する機能を有する。また、出力フォーマット指定手段１１ｄは、映像処理手段１８に対して出力フォーマット判定手段１１ｃから受けた自動切換前出力フォーマットで映像を出力するよう指定する機能を有する。さらに、出力フォーマット指定手段１１ｄは、映像処理手段１８に指定した出力フォーマットの情報をＯＳＤ表示手段１６に与える機能を有する。
【００３４】
次に、映像出力装置１０の作用について説明する。
【００３５】
図５は、図１に示す映像出力装置１０により、映像信号を適当な出力フォーマットをもって各端子２１〜２４を介してＣＲＴやＬＣＤなどの映像出力機器へ出力する際の手順を示すフローチャートである。図５において、Ｓに数字を付した符号は、フローチャートの各ステップを示す。
【００３６】
図５に示すフローチャートは、映像出力装置１０の電源がＯＮになって開始となり、ステップＳ１の処理へと移行する。
【００３７】
まず、ステップＳ１において、待機手段１１ａは、所要の時間だけＣＰＵ１１の処理を待機させる。この所要の時間として、たとえば１００msecを指定した場合は、映像信号を適当な出力フォーマットをもって各端子２１〜２４を介してＣＲＴやＬＣＤなどの映像出力機器へ出力する処理どうしの間に１００msecの待機時間を設けることになる。
【００３８】
次に、ステップＳ２において、端子接続判定手段１１ｂは、映像出力装置１０のＤ１専用端子のうち、少なくともひとつが接続されているかどうかを判定する。Ｄ１専用端子のうち少なくともひとつが接続されている場合はステップＳ３に進む。一方、１つも接続されていない場合はステップＳ６に進む。
【００３９】
次に、ステップＳ３において、出力フォーマット判定手段１１ｃは、現在出力フォーマットの情報を受け、この現在出力フォーマットがＤ１と等しいかどうかを判定する。等しい場合は、ステップＳ１に戻る。異なる場合には、現在出力フォーマット（たとえばＤ２）の情報を出力フォーマット指定手段１１ｄに与え、ステップＳ４に進む。
【００４０】
次に、ステップＳ４において、出力フォーマット指定手段１１ｄは、出力フォーマット判定手段１１ｃから受けた現在出力フォーマット（たとえばＤ２）の情報を、自動切換前出力フォーマットとして、自動切換前出力フォーマット記憶手段１５に格納する。さらに、出力フォーマット指定手段１１ｄは、映像処理手段１８に対して、現在出力フォーマット（たとえばＤ２）にかえてＤ１で映像を出力するよう指定する。
【００４１】
次に、ステップＳ５において、映像処理手段１８は、出力フォーマット指定手段１１ｄからＤ１での映像出力の指定を受け、出力フォーマットをＤ１に自動的に切り換え、ステップＳ８に進む。
【００４２】
他方、Ｄ１専用端子がひとつも接続されていない場合には、ステップＳ６において、出力フォーマット判定手段１１ｃは、現在出力フォーマットが自動切換前出力フォーマット記憶手段１５に記憶されている自動切換前出力フォーマットと等しいかどうかを判定する。等しい場合にはステップＳ１に戻る。一方、異なる場合にはステップＳ７に進む。
【００４３】
次に、ステップＳ７において、映像処理手段１８は、出力フォーマット指定手段１１ｄから自動切換前出力フォーマットでの映像出力の指定を受け、出力フォーマットを自動切換前出力フォーマットに自動的に切り換え、ステップＳ８に進む。
【００４４】
図６は、出力フォーマットの自動切換実行時に行うＯＳＤ表示の例を示す図である。
【００４５】
ステップＳ８において、ＯＳＤ表示手段１６は、映像処理手段１８の出力する映像信号に対し、図６に示すようなＯＳＤ表示情報を重畳する。この表示により、ユーザは出力フォーマットの自動切換えが行われた旨が容易に了知可能となる。図６において、＊＊＊には、出力フォーマット指定手段１１ｄから受けた映像処理手段１８に指定した出力フォーマットの情報が表示される。また、警告音発生手段１７は、図６に示すように、ブザー、音楽または人間の声のアナウンスなどにより、警告音を発生する。この警告音によっても、ユーザは出力フォーマットの自動切換えが行われた旨を了知可能となる。
【００４６】
以上の手順により、映像信号を適当な出力フォーマットをもって各端子２１〜２４を介してＣＲＴやＬＣＤなどの映像出力機器へ出力することができる。
【００４７】
図１に示した映像出力装置１０は、Ｄ１専用端子が接続されている場合には、出力フォーマットを必ずＤ１に設定する。このため、たとえばコンポジット端子とＤ端子が同時に接続されている場合などでも、出力フォーマットはＤ１である。したがって、映像出力装置１０によれば、常に、どの端子からも正常な映像を出力することが可能である。
【００４８】
また、映像出力装置１０は、出力フォーマットの自動切換えを行った際に、自動切換前の出力フォーマットを記憶する。このため、Ｄ１専用端子が接続された場合には出力フォーマットを常にＤ１に自動切換えするとともに自動切換前の出力フォーマットを記憶し、Ｄ１のみに対応する映像出力端子が非接続となった場合には記憶している自動切換前の出力フォーマットに自動切換えすることができる。したがって、映像出力装置１０によれば、ユーザによる出力フォーマットの再設定の手間が省け利便性がよい。
【００４９】
また、映像出力装置１０は、出力フォーマットの自動切換えを行う際に、ＯＳＤ表示および警告音により、ユーザに自動切換えを行った旨を知らしめることができる。このため、ユーザは、実際の出力フォーマットを容易に知ることができる。したがって、ユーザはこの情報にもとづいて最適な対応を取ることができ、無用な混乱や誤認を防ぐことができる。
【００５０】
なお、映像出力装置１０は、映像を出力する機器と映像を表示する機器とを介する機能を有するものであるから、映像を出力する機器、たとえばＤＶＤ／ＨＤＤレコーダなどの記録再生装置に組み込んで用いることが可能である。
【図面の簡単な説明】
【００５１】
【図１】本発明に係る映像出力装置の一実施形態を示す概略的な全体構成図。
【図２】走査線数方式、有効走査線数方式およびＤ方式の対応関係を示す図。
【図３】映像出力端子と出力フォーマットの対応関係を示す図。
【図４】図１に示すＣＰＵによる機能実現手段の構成例を示す概略的なブロック図。
【図５】図１に示す映像出力装置１０により、映像信号を適当な出力フォーマットをもって各端子２１〜２４を介してＣＲＴやＬＣＤなどの映像出力機器へ出力する際の手順を示すフローチャート。
【図６】出力フォーマットの自動切換実行時に行うＯＳＤ表示の例を示す図。
【符号の説明】
【００５２】
１０  映像出力装置
１１  ＣＰＵ
１１ａ  待機手段
１１ｂ  端子接続判定手段
１１ｃ  出力フォーマット判定手段
１１ｄ  出力フォーマット指定手段
１２  ＲＡＭ
１３  ＲＯＭ
１４  出力フォーマットユーザ設定手段
１５  自動切換前出力フォーマット記憶手段
１６  ＯＳＤ表示手段
１７  警告音発生手段
１８  映像処理手段
２１  コンポジット端子
２２  Ｓ端子
２３  コンポーネント端子
２４  Ｄ端子
３１  入力装置
３２  スイッチ
【図１】
2007243818.tif 000003
【図２】
2007243818.tif 000004
【図３】
2007243818.tif 000005
【図４】
2007243818.tif 000006
【図５】
2007243818.tif 000007
【図６】
2007243818.tif 000008